(57)【要約】【課題】テレビ番組のＣＭ期間中、自由にチャンネルを切り換えることが出来、ＣＭが終了すると元のチャンネルに自動的に切り換える機能を有するシステムを提供する。【解決手段】チューナ１０７で受信している番組がＣＭに変わったとき、音声多重信号によって音声多重処理ＩＣ１０９から判別信号１０２を信号切換回路１１０に出力される。チャンネル切換信号１１７を受信すると、チューナ１０７からチューナ１０８の信号に切り換える。ＣＭが終わると判別信号が変化し、再びチューナ１０８からチューナ１０７の信号に切り変わる。【選択図】          図１
2004186942.tif 000002
【特許請求の範囲】
【請求項１】
テレビ受信機において視聴しているチャンネルがＣＭの間、手動で別のチャンネルに切り換えることを可能にし、ＣＭが終わると元のチャンネルに戻る動作を自動的に行なうことを特徴とする半自動チャンネル切換システム。
【請求項２】
請求項１において、上記ＣＭの間、切り換わる信号源についてビデオデッキ，ＤＶＤプレーヤ、パソコンの外部入力を含む半自動チャンネル切換システム。
【請求項３】
請求項１において、２画面表示テレビ受像機での切り換わる信号について主画面と副画面の入れ換わりを含む半自動チャンネル切換システム。
【請求項４】
ＣＭ中のチャンネル切換において、特定の信号とチャンネル信号を受信することにより切り換え前のチャンネルを記憶したまま別のチャンネルに切り換えるシステム。
【発明の詳細な説明】
【０００１】
【発明が属する技術分野】
本発明はテレビ受信機の半自動チャンネル切換システムに関する。
【０００２】
【従来の技術】
従来は、目的とする番組がＣＭの間、使用者がすべて手動でチャンネルを切り換えるか、ＣＭが始まるとあらかじめ設定されたチャンネルに自動で切り換えて、終了すると元のチャンネルに切り換えていた。（特許文献１参照）
【特許文献１】
特許公開平８−２０５０４０
【０００３】
【発明が解決しようとする課題】
一般に番組がＣＭ期間中、自分で別のチャンネルに切り換えて時間を見計らって元のチャンネルに戻すが、それが早過ぎたり、又番組に見入ってチャンネルを戻すのが遅れてしまい、初めに見ていた番組を一部見損なってしまうことが有った。また、他のチャンネルに自動で切り換るものでは面倒な設定が必要だったり、見る必要の無いチャンネルの映像が表示されていたりした。この発明は上記従来技術の問題点を解決し、ＣＭ期間中のみ使用者が自由にチャンネルを切り換えられるようにすることを課題とする。
【０００４】
本発明の目的は、事前にチャンネル等の設定が必要なく、番組のＣＭ期間中自由に別のチャンネルを切り換えることが出来、ＣＭが終了すると自動的に元のチャンネルに戻る動作を提供することにある。
【０００５】
【課題を解決するための手段】
テレビ受信機に内蔵された音声多重処理ＩＣによってＣＭ放送を判別したとき、チャンネル切換モード信号が添付されたチャンネル切換信号の受信により、ＣＭ放送中のみ手動でのチャンネル切換を可能にし、ＣＭが終了すると自動的に元のチャンネルに戻るようにする。
【０００６】
【発明の実施の形態】
本発明によれば電子制御によりＣＭ期間中のみ手動で自由にチャンネル切り換えが出来、ＣＭが終了すると自動的に元のチャンネルに戻ることが可能である。
【０００７】
【実施例】
（実施例１）図１は、この発明の実施例を示す半自動チャンネル切換のブロック図である。まず、チューナ１０７の受信信号１０３が、その音声信号１０１によって音声多重処理ＩＣ１０９でステレオ信号かどうかを判別され、信号切換信号１１０へ判別信号１０２を送出する。リモコンでチャンネルが変えられるとチャンネル切換信号受信回路１１６からチャンネル切換信号１１７が送出される。これらによって信号切換回路１１０を制御し、チューナ１０７の受信信号１０３とチューナ１０８の受信信号１０４を切り換える。
【０００８】
図２は、その時のタイミングチャート、図３はチャンネル切換信号１１７のパターン図、図４はチャンネル切換信号１１７が出力された時の信号切換回路のフローチャートを示す。図３でＣＭ中切換モード信号１２２がチャンネル切換信号１１７に添付されていれば、ＣＭ中のみチャンネル変更できるというモードである。ＣＭ中切換モード信号１２２が添付されていなければ通常のチャンネル切換のモードである。本発明の機能を実現させるために通常のチャンネル信号の前に送出される信号をＣＭ中切換モード信号１２２とする。
【０００９】
受信したチャンネル切換信号１１８にＣＭ中切換モード信号１２２が添付されていた場合、ＣＭ中ではないので図４の１２６で”ＮＯ”になり処理が終了し、信号出力１０５はチューナＡからの受信信号１０３のままである。音声信号１０１がステレオ信号になると判別信号１０２が”Ｌ”になるが、チャンネル切換信号１１７を受信していないので受信信号１０３のままである。このＣＭ中にＣＭ中切換モード信号１２２が添付されたチャンネル切換信号１１９を受信すると図４の１２７でチューナＢに切り換り受信信号１０４になる。ＣＭが終了すると判別信号１０２は“Ｈ”になり自動的に受信信号１０３になる。チャンネル切換信号１１７にＣＭ中切換モード信号１２２が添付されていない場合１２０は図４の１２５で”ＮＯ”になり、チューナＡ１０７に切り換えてチャンネルも変わり信号出力１２１になる。
【００１０】
（実施例２）チャンネル切換信号１１７に機種対応のＣＭ中切換モード信号１２２を添付できないリモコンを使用する時、ＣＭ中切換モード信号１２２の代わりにチューナＡと同じチャンネルのチャンネル信号を代用する。また、手動で２つのチャンネルを押すことになるので、チャンネル信号（ＣＭ中切換モード信号）１３３からチャンネル信号１３４まで２〜３秒位までをＣＭ中切換モードとさせる。そのため、同じチャンネルのチャンネル信号を受信すると２〜３秒保持するＣＭ中切換モードフラグ１３５を立てる。
【００１１】
図５は、（実施例２）のフローチャートを示す。図６は（実施例２）のチャンネル切換信号１１７のタイミングチャートを示す。図２で受信したチャンネル切換信号１１８にＣＭ中切換モード信号１１７が添付されていた場合、ＣＭ中ではないので図５の１２６で”ＮＯ”になり処理が終了し、信号出力１０５はチューナＡからの受信信号１０３のままである。音声信号１０１がステレオ信号になると判別信号１０２が”Ｌ”になるが、チャンネル切換信号１１７を受信していないので受信信号１０３のままである。このＣＭ中にチャンネル切換信号１１９のタイミングで現チャンネルと同じチャンネルのチャンネル信号１３３を受信すると図５の１３０で”ＹＥＳ”となり、ＣＭ中切換モードフラグ１３５が”ＯＮ”になり２・３秒間位保持する。ＣＭ中切換モードフラグ１３５が”ＯＮ”になっている間に別のチャンネル信号１３４を受信すると図５の１２９，１２６で”ＹＥＳ”となりチューナＢ１０８に切り換り１２７、信号出力１０５はチューナの受信信号１０３になる。ＣＭが終了すると判別信号１０２は“Ｈ”になり自動的に受信信号１０４になる。ＣＭ中切換信号フラグ１３５が立っていない時，別のチャンネル信号１３４を受信すると１２９・１３０で”ＮＯ”になり、チューナＡ１０７に切り換えてチャンネルも変わり，チューナＡのチャンネルを記憶１３２する。尚、１３２はこのタイミングの限りではない。
【００１２】
（実施例３）図７は本発明の実施例を示すブロック図である。図１と違う点は、ＴＶチューナを二つ使用するのでなく、ＴＶチューナを一つに音声受信用チューナを一つ使用し、マイコンで制御している所である。
【００１３】
通常、手動でチャンネルを切り換える場合は、ＴＶチューナ１１３、音声チューナ１１２共に連動し、チャンネルが切り換わる。番組を視聴時ＣＭになると音声信号１０１により音声多重処理ＩＣ１０９から判別信号１０２をマイコン１１４に入力するようにする。このＣＭ中にチャンネル切換信号受信回路１１６からＣＭ中切換モード信号１２２添付のチャンネル切換信号１１７が出力されると、マイコン１１４はチャンネル切換の制御信号１０６をＴＶチューナ１１３のみに入力して制御し、ＣＭの終了を判別できるように音声チューナ１１２は、そのままにしておく。ステレオ信号が終了すると音声多重処理ＩＣ１０９からの判別信号１０２によりマイコン１１４は、ＴＶチューナ１１３にもとのチャンネルを再びセットするよう制御する。
【００１４】
（実施例４）２画面表示テレビ受像機では、番組中は主画面が大きく表示されて音声がスピーカから出て、副画面は小さく表示されてスピーカから音声は出ない。ＣＭになりチャンネル切換信号１１７を受信すると、信号出力１０５が入れ換わり主画面が小さく表示されて音声がスピーカから出なく、副画面は大きく表示されてスピーカから音声は出るようになる。ＣＭが終了すると自動的に主画面と副画面が入れ換わり音声も連動して元通りになる。
【００１５】
（実施例５）ＣＭ中に切り換る信号源はビデオデッキ，ＤＶＤプレーヤ、パソコン等の外部入力にすることができる。
【００１６】
【発明の効果】
本発明の半自動チャンネル切換システムは、事前に機能設定する必要が無く、簡単な操作でＣＭ期間中に元のチャンネルのＣＭ終了を気にすることなく安心して、他のチャンネルへの切り換えを自由に行なうことができ、ＣＭが終了すると自動的に元のチャンネルに戻る。
【図面の簡単な説明】
【図１】本発明のブロック図。
【図２】本発明のタイミングチャート。
【図３】チャンネル切換信号のパターン図。
【図４】信号切換信号１１７が出力された時のフローチャート。
【図５】他の信号切換信号１１７が出力された時のフローチャート。
【図６】他のチャンネル切換信号のタイミングチャート。
【図７】本発明の他のブロック図。
【符号の説明】
１０１…音声信号
１０２…判別信号
１０３…チューナの受信信号
１０４…チューナの受信信号
１０５…信号出力
１１８…ＣＭ中切換モード信号が添付されたチャンネル切換信号
１１９…ＣＭ中切換モード信号が添付されたチャンネル切換信号
１２０…ＣＭ中切換モード信号が添付されていないチャンネル切換信号
１２１…チューナの受信信号
【図１】
2004186942.tif 000003
【図２】
2004186942.tif 000004
【図３】
2004186942.tif 000005
【図４】
2004186942.tif 000006
【図５】
2004186942.tif 000007
【図６】
2004186942.tif 000008
【図７】
2004186942.tif 000009